(57)【特許請求の範囲】
【請求項１】
入力を処理して直流電圧を生成するＤＣ−ＤＣコンバータ部と、
生成された直流電圧を交流電圧に変換するＡＣ−ＤＣコンバータ部と、
前記直流電圧又は前記交流電圧の何れかから駆動電圧を決定するスイッチと、
前記駆動電圧によってフレキシブルディスプレイを駆動する駆動部と
を備え、
前記フレキシブルディスプレイは、前記駆動電圧によって変形された形状を有する
フレキシブルディスプレイ制御装置。
【請求項２】
前記フレキシブルディスプレイは、夫々個別に前記駆動電圧を供給されるセルの行列を備える
請求項１記載のフレキシブルディスプレイ制御装置。
【請求項３】
前記スイッチは、入力の特性に応じて駆動電圧を決定する
請求項１記載のフレキシブルディスプレイ制御装置。
【請求項４】
前記特性は、入力の持続時間，ある入力と次の入力との間の時間，及び入力の位相のうちの一である
請求項３記載のフレキシブルディスプレイ制御装置。
【請求項５】
前記スイッチは、変形復元を避けるための要求に応じて、前記交流電圧を出力電圧に決定する
請求項１記載のフレキシブルディスプレイ制御装置。
【請求項６】
前記ＤＣ−ＡＣコンバータ部は、前記交流電圧の周期を、フレキシブルディスプレイのイオンが移動する時間よりも短く設定する
請求項１記載のフレキシブルディスプレイ制御装置。
【請求項７】
前記ＤＣ−ＡＣコンバータ部は、前記交流電圧の周期を、フレキシブルディスプレイのイオンが移動する時間よりも長く設定する
請求項１記載のフレキシブルディスプレイ制御装置。
【請求項８】
前記フレキシブルディスプレイは、イオン性高分子金属複合層を有する
請求項１記載のフレキシブルディスプレイ制御装置。
【請求項９】
特定入力に対応した参照周期を格納したメモリ部を更に備え、
前記ＤＣ−ＡＣコンバータ部は、前記特定入力に対応した入力があった場合には、前記交流電圧の周期を前記参照周期に設定する
請求項１記載のフレキシブルディスプレイ制御装置。
【請求項１０】
入力を変換して、当該入力から直流電圧を生成するＤＣ−ＤＣコンバータ部と、
前記直流電圧を交流電圧に変換するＡＣ−ＤＣコンバータ部と、
フレキシブルディスプレイに前記直流電圧又は前記交流電圧の何れを印加するかを決定し、
前記直流電圧又は前記交流電圧を駆動電圧として印加する工程を含み、
前記フレキシブルディスプレイは、前記駆動電圧によって変形された形状を有する
フレキシブルディスプレイ制御方法。
【請求項１１】
前記フレキシブルディスプレイは、夫々個別に前記駆動電圧を供給されるセルの行列を備える
請求項１０記載のフレキシブルディスプレイ制御方法。
【請求項１２】
前記決定することは、入力の特性に基づいて行われる
請求項１０記載のフレキシブルディスプレイ制御方法。
【請求項１３】
前記特性は、入力の持続時間，ある入力と次の入力との間の時間，及び入力の位相のうちの一である
請求項１２記載のフレキシブルディスプレイ制御方法。
【請求項１４】
前記交流電圧は、変形復元を避けるための要求に応じて印加される
請求項１０記載のフレキシブルディスプレイ制御方法。
【請求項１５】
前記交流電圧の周期を、フレキシブルディスプレイのイオンが移動する時間よりも短く設定する工程を更に含む
請求項１０記載のフレキシブルディスプレイ制御方法。
【請求項１６】
前記交流電圧の周期を、フレキシブルディスプレイのイオンが移動する時間よりも長く設定する工程を更に含む
請求項１０記載のフレキシブルディスプレイ制御方法。
【請求項１７】
前記フレキシブルディスプレイは、イオン性高分子金属複合層を有する
請求項１０記載のフレキシブルディスプレイ制御方法。
【請求項１８】
特定入力に対応した参照周期を格納し、
前記特定入力に対応した入力があった場合には、前記交流電圧の周期を前記参照周期に設定する
工程を更に含む請求項１０記載のフレキシブルディスプレイ制御方法。
【請求項１９】
前記フレキシブルディスプレイは、イオン性高分子金属複合層を有する
請求項１０記載のフレキシブルディスプレイ制御方法。
【発明の詳細な説明】
【技術分野】
【０００１】
本発明はフレキシブルディスプレイを制御する装置および方法に関する。
【背景技術】
【０００２】
フレキシブルディスプレイは、薄膜形態のプラスチックなどのようなフレキシブル基板上に製造された平板ディスプレイであって、そのような平板ディスプレイに文字や映像を表示可能にした装置である。
【０００３】
従来のフレキシブルディスプレイは、外部から物理的な力が加えられる場合に形態が変形する。そのため、従来のフレキシブルディスプレイに文字や映像を表現することは限界がある。
【発明の概要】
【発明が解決しようとする課題】
【０００４】
本発明の目的は、電圧を交互に変化させることによって形状を維持することができるフレキシブルディスプレイ，及び、フレキシブルディスプレイの形状を維持するべく電圧を交互に変化させるフレキシブルディスプレイ制御方法を提供することにある。
【０００５】
本発明の更なる特徴は、下記の説明において説明され、また、当該記載からある程度明らかにされるか、若しくは、本発明の実施によって習得されるであろう。
【課題を解決するための手段】
【０００６】
本発明の一実施形態は、入力を処理して直流（ＤＣ）電圧を生成するＤＣ−ＤＣコンバータ部と、生成されたＤＣ電圧を交流（ＡＣ）電圧に変換するＤＣ−ＡＣコンバータ部と、前記ＤＣ電圧又はＡＣ電圧の何れかからの駆動電圧を切り替えるスイッチ部と、前記駆動電圧によりフレキシブルディスプレイを駆動する駆動部とを備え、前記フレキシブルディスプレイが前記駆動電圧によって形状を変化可能にさせるフレキシブルディスプレイ制御装置を、提供する。
【０００７】
本発明の一実施形態は、入力を変換し、前記入力から直流（ＤＣ）電圧を生成し、前記ＤＣ電圧を交流（ＡＣ）電圧に変換し、前記フレキシブルディスプレイに前記ＤＣ電圧を印加するか前記ＡＣ電圧を印加するかを決定し、前記ＤＣ電圧又は前記ＡＣ電圧を駆動電圧として印加し、前記フレキシブルディスプレイが前記駆動電圧によって形状を変化可能にさせるフレキシブルディスプレイ制御方法を、提供する。
【０００８】
本発明の一実施形態は、入力を処理して第１電圧を生成する第１電圧部と、前記第１電圧とは異なる周期を有する第２電圧を生成する第２電圧部と、前記第１電圧又は前記第２電圧の何れかから駆動電圧を決定するスイッチ部と、前記駆動電圧によりフレキシブルディスプレイを駆動する駆動部とを備え、前記フレキシブルディスプレイが前記駆動電圧によって変化可能な形状を有するフレキシブルディスプレイ制御装置を、提供する。
【０００９】
上述した概括的な記載と後述する詳細な説明の双方は、例示及び説明のためのものであり、請求項に記載された発明の更なる説明の提供が意図されている。他の特徴及び態様は、後述する詳細な説明，図面及び特許請求の範囲から明らかにされるだろう。
【発明の効果】
【００１０】
本発明によると、電圧を交互に変化させることによってフレキシブルディスプレイ形状を維持することができる。
【図面の簡単な説明】
【００１１】
【図１】本発明の一実施形態に係るフレキシブルディスプレイの断面図
【図２】本発明の一実施形態に係るフレキシブルディスプレイ制御装置で用いられるイオン性高分子金属複合（ＩＰＭＣ）層の動作を示すブロック図
【図３】本発明の一実施形態に係るフレキシブルディスプレイ制御装置のブロック図
【図４】本発明の一実施形態に係るフレキシブルディスプレイ制御装置の直流−交流（ＤＣ−ＡＣ）コンバータを示す図
【図５】本発明の一実施形態に係るフレキシブルディスプレイ制御装置内のイオン性高分子金属複合層の構造を示す図
【図６】本発明の一実施形態に係るフレキシブルディスプレイ制御装置内のイオン性高分子金属複合層の変化を示す図
【図７】本発明の一実施形態に係るフレキシブルディスプレイ制御装置内でイオン性高分子金属複合層が時間に応じて変化する場合を示す図
【図８】本発明の一実施形態に係るフレキシブルディスプレイ制御装置内でイオン性高分子金属複合層が印加される電圧によって変化した状態を示す図
【図９】本発明の一実施形態に係るフレキシブルディスプレイ制御装置内でイオン性高分子金属複合層が印加される電圧によって変化する例を示す図
【図１０】本発明の一実施形態に係るフレキシブルディスプレイ制御装置内でイオン性高分子金属複合層が印加される電圧によって変化する例を示す図
【図１１】本発明の一実施形態に係るフレキシブルディスプレイ制御装置内でイオン性高分子金属複合層が印加される電圧によって変化する例を示す図
【図１２】本発明の一実施形態に係るフレキシブルディスプレイ制御装置によって生成されるオン／オフパルス信号および正弦波信号を示す図
【図１３】本発明の一実施形態に係るフレキシブルディスプレイ制御装置によって生成されるオン／オフパルス信号および正弦波信号の他の例を示す図
【図１４】本発明の一実施形態に係るフレキシブルディスプレイ制御装置を用いて、フレキシブルディスプレイが波型に変形された状態を示す図
【図１５】本発明の一実施形態に係るフレキシブルディスプレイ制御装置を用いて、フレキシブルディスプレイがオーディオリズムを表示している状態を示す図
【図１６】本発明の一実施形態に係るフレキシブルディスプレイ制御装置内でＡＣ駆動電圧の周期に応じてフレキシブルディスプレイが変化する状態を示す図
【図１７】本発明の一実施形態に係るフレキシブルディスプレイ制御方法を示すフローチャート
【発明を実施するための最良の形態】
【００１２】
以下、本発明の実施形態を添付する図面を参照しながら詳説する。しかし、本発明は、いくつかの異なる形態での具現が可能であり、ここで説明する実施例に限定されない。むしろ、これらの実施形態は、本発明の開示が完全になるように完全に提供されたものであって、本発明の属する技術分野における通常の知識を有する者に本発明の開示範囲を十分に示すであろう。図において、層及び領域のサイズ及び相対サイズは、明瞭に記載するために誇張される場合もある。図において同様の参照番号は、同様の要素を示す。
【００１３】
或る要素が他の要素に「結合している」と記述されているときは、当該要素が当該他の要素に直接結合していることも、中間部材が介在することも意味することは、理解されるところである。ここで使用される技術用語は、特定の実施形態を説明するために用いられるのであって、本願の発明の開示を限定するために用いられるのではない。個々の名詞は、文脈の前後関係から明らかに単数であることが示されていない限り、複数のものを表すことも意図されている。更に、「第１」、「第２」等の用語の使用は、何らかの順番や重要性を示すのではなく、むしろ、１つの要素を他の要素から区別するために使用されているに過ぎない。また、本明細書で用いるところでは、用語「含む」,「備える」,「有する」は、言及された特徴、領域、整数、ステップ、操作、要素、及び／又は成分の存在を表す。しかし、これらの用語は、一つ以上の他の特徴、領域、整数、ステップ、操作、要素、成分及び又はその群の存在，若しくはその追加を、排除しない。本開示の目的のためには、「少なくとも一つ」との記述は、それに続いて列挙された要素群の任意の組み合わせを意味するように、解釈される。例えば、「Ｘ，Ｙ，Ｚのうちの少なくとも一つ」との記述は、Ｘのみ，Ｙのみ，Ｚのみ，又は、Ｘ，Ｙ，Ｚのうちの何れか二つ以上の組み合わせを意味するように、解釈される。
【００１４】
図１は、本発明の一実施形態に係るフレキシブルディスプレイの断面を示す図である。
【００１５】
図１を参照すると、フレキシブルディスプレイは、入力部１１０、ディスプレイ部１２０、および駆動部１３０を備える。入力部１１０は、ユーザがディスプレイウィンドウを介して入力した信号を受け取る。入力部１１０は、ディスプレイウィンドウへのタッチによって入力されたタッチ信号を受け取る。ここで、タッチとは、ユーザの動作や、スタイラスペン等のタッチ用具を使用することについての言及である。ディスプレイ部１２０は、画面を介して映像、文字などを表示し、その柔軟な性質に因り、フレキシブルに形態が変形され得る。駆動部１３０は、ディスプレイ部１２０を変化させ、ディスプレイ部１２０の形状を調整する。駆動部１３０はイオン層から構成されてもよい。イオン層の一例として、イオン性高分子金属複合層（ＩＰＭＣ  Ｌａｙｅｒ、Ｉｏｎｉｃ  Ｐｏｌｙｍｅｒ−Ｍｅｔａｌ  Ｃｏｍｐｏｓｉｔｅ  Ｌａｙｅｒ）を用いてもよい。イオン性高分子金属複合層は、ディスプレイ部１２０上に配置され、若しくは、結合している。イオン性高分子金属複合層は、印加される電圧によって形態が変化し得る。イオン性高分子金属複合層の変化につれて、ディスプレイ部１２０の形態も変化する。
【００１６】
図２は、本発明の一実施形態に係るフレキシブルディスプレイ制御装置内で用いるイオン性高分子金属複合層の動作を示す図である。
【００１７】
図２を参照すると、イオン性高分子金属複合層２１０に電圧が印加されると、同図下側２２０に示すように、イオン性高分子金属複合層２２０の水和された陽イオンは第１電極の方へ移動する。水和された陽イオンが第１電極の側に集中するにつれて、イオン性高分子金属複合層２２０における第１電極に接続された部分が膨張する。反対に、イオン性高分子金属複合層２２０における第２電極に接続された部分が収縮する。したがって、イオン性高分子金属複合層２２０は、第２電極の方へ湾曲する。このように、イオン性高分子金属複合層２２０の形状は、印加される電圧の極性に応じて変化し得る。第１電極及び第２電極は、アノード及び／又はカソードと称されることもある。
【００１８】
イオン性高分子金属複合層２１０は高分子膜から構成される。そして、基準電圧以上の電圧が印加され、且つ／若しくは、電圧の印加が基準時間であった場合には、高分子膜が損傷され得る。従って、イオン性高分子金属複合層を用いた部品の寿命が短くなり得る。
【００１９】
図３は、本発明の一実施形態に係るフレキシブルディスプレイ制御装置のブロック図である。
【００２０】
図３に示すように、フレキシブルディスプレイ制御装置は、認知部３１０、制御部３２０、直流−直流（ＤＣ−ＤＣ）コンバータ３４０、直流−交流（ＤＣ−ＡＣ）コンバータ３５０、スイッチ部３６０、駆動部３７０、ディスプレイ部３８０、およびメモリ部３９０を備える。
【００２１】
ＤＣ−ＤＣコンバータ３４０は、電源供給装置３３０から供給される直流電圧を、駆動部３７０で要求するＤＣ駆動電圧に変換する。ＤＣ駆動電圧は、駆動部３７０のイオン層に含まれたセルの駆動に必要なＤＣ電圧を意味する。ＤＣ駆動電圧の電圧レベルに関する情報は、メモリ部３９０に格納されてもよい。
【００２２】
ＤＣ−ＡＣコンバータ３５０は、ＤＣ駆動電圧を所定の周期を有するＡＤ駆動電圧に変換する。ＡＣ駆動電圧の波高値レベルは、ＤＣ駆動電圧のレベルと同一である。本実施形態では、所定の周期は制御部３２０で決定される。制御部３２０は、例えば、イオン性高分子金属複合層に含まれたイオンが動く速度より基準周期を速めてしまう変形復元（ｄｅｆｏｒｍａｔｉｏｎ  ｒｅｓｔｏｒａｔｉｏｎ）を避けるよう、ＡＣ電圧の基準周期を決定してもよい。制御部３２０は、イオンが動く速度よりも前記基準周期が早く又は遅くなる効果を有する変形復元（ｄｅｆｏｒｍａｔｉｏｎ  ｒｅｓｔｏｒａｔｉｏｎ）を避けるように、若しくは、かかる変形復元（ｄｅｆｏｒｍａｔｉｏｎ  ｒｅｓｔｏｒａｔｉｏｎ）に取り組むことなく、前記基準周期を決定しても良い。また、ＡＣ駆動電圧の初期周期は、メモリ部３９０に予め格納されてもよい。
【００２３】
制御部３２０は、イオン性高分子金属複合層にＤＣ駆動電圧またはＡＣ駆動電圧の何れを印加するのかを決定する。制御部３２０は、イオン性高分子金属複合層で変形復元（ｄｉｓｐｌａｃｅｍｅｎｔ  ｒｅｓｔｏｒａｔｉｏｎ）の現象が発生するか否かに応じて、直流駆動電圧または交流駆動電圧の印加の有無を決定する。
【００２４】
開示全体を通じて、変形復元（ｄｉｓｐｌａｃｅｍｅｎｔ  ｒｅｓｔｏｒａｔｉｏｎ）という言葉が用いられている。これは、フレキシブルディスプレイの形状の完全な復元を意味するか、若しくは、フレキシブルディスプレイが部分的に原型に復元することを意味する。
【００２５】
イオン性高分子金属複合層は次のような物理的な特性を有する。イオン性高分子金属複合層にＤＣ駆動電圧が印加されると、その電圧によってイオン性高分子金属複合層が変形する。ところが、ＤＣ駆動電圧が一定時間にわたって印加され続けると、イオン性高分子金属複合層は直流駆動電圧によって引き起こされた変形を持続できず、原型に復元し得る。この形状の復元が、変形復元（ｄｉｓｐｌａｃｅｍｅｎｔ  ｒｅｓｔｏｒａｔｉｏｎ）と称されるのである。。変形復元の現象は、基準レベルの電圧が基準時間にわたってイオン性高分子金属複合層に印加される場合に、発生する。
【００２６】
このように、ＤＣ駆動電圧がイオン性高分子金属複合層に印加される場合には、イオン性高分子金属複合層が長時間にわたって変形形態を維持することは、困難である。
【００２７】
イオン性高分子金属複合層にＡＣ駆動電圧が印加される場合には、ＡＣ駆動電圧の波形周期および波高値レベルに応じて、イオンの動きが決定される。イオン性高分子金属複合層の動きは、電圧の変化に基づいて変化するイオン密度の変化によって、決定されるのかも知れない。
【００２８】
本実施形態では、ＡＣ駆動電圧の周期がイオンの動きのスピードよりも遅い周期に変化すると、ＡＣ駆動電圧の周期に応じて、イオン性高分子金属複合層の形状が変化する。反対に、ＡＣ駆動電圧の周期がイオンの動きのスピードよりも早ければ、イオンは、周期的に変化するＡＣ駆動電圧の電圧レベル変化に従うことができない。そのため、電圧レベルの変化に基づくイオン性高分子金属複合層の動きは、相対的に小さくなる。
【００２９】
ＡＣ駆動電圧の周期が一定周期以上に早くなると、イオン性高分子金属複合層の動きは人間の目が処理する速度よりも早くなるので、肉眼ではイオン性高分子金属複合層の動きを認識できなくなる。
【００３０】
制御部３２０は、イオン性高分子金属複合層に、イオン性高分子金属複合層でのイオンの動きよりも早い周期を有するＡＣ駆動電圧を印加することによって、イオン性高分子金属複合層の変形復元（ｄｉｓｐｌａｃｅｍｅｎｔ  ｒｅｓｔｏｒａｔｉｏｎ）を、最小化ないし減少させることできる。すなわち、制御部３２０は、イオン性高分子金属複合層を、変形した状態に維持できる。
【００３１】
また、制御部３２０が、変化するＡＣ駆動電圧をイオン性高分子金属複合層に印加することによって、フィルムの損傷を減らすことができる。したがって、イオン性高分子金属複合層の形状が維持されて原型に復元しないので、イオン性高分子金属複合層を用いた部品の信頼性が高められる。
【００３２】
制御部３２０は、変形復元の現象が発生する前にはイオン性高分子金属複合層にＤＣ駆動電圧を印加してもよい。ＤＣ駆動電圧が印加される場合には、ＡＣ駆動電圧が印加される場合よりも早く、イオン性高分子金属複合層が希望する形態に変形され得る。
【００３３】
制御部３２０は、変形復元（ｄｉｓｐｌａｃｅｍｅｎｔ  ｒｅｓｔｏｒａｔｉｏｎ）の発生時間に基づいて、イオン性高分子金属複合層にＡＣ駆動電圧を印加するかどうかを、決定する。例えば、制御部３２０は、変形復元（ｄｉｓｐｌａｃｅｍｅｎｔ  ｒｅｓｔｏｒａｔｉｏｎ）が発生する時間よりも前に、イオン性高分子金属複合層にＡＣ駆動電圧を印加してもよい。
【００３４】
変形復元（ｄｉｓｐｌａｃｅｍｅｎｔ  ｒｅｓｔｏｒａｔｉｏｎ）の発生時間は、メモリ部３９０に格納されてもよい。イオン性高分子金属複合層に基準電圧が加えられた場合、変形復元（ｄｉｓｐｌａｃｅｍｅｎｔ  ｒｅｓｔｏｒａｔｉｏｎ）の発生時間が実験的に測定されて、メモリ部３９０にデータとして格納されてもよい。このデータは、変形復元（ｄｉｓｐｌａｃｅｍｅｎｔ  ｒｅｓｔｏｒａｔｉｏｎ）発生するのを制限又は阻止する為に使用すべく、後で読み出される。
【００３５】
制御部３２０は、変形復元（ｄｉｓｐｌａｃｅｍｅｎｔ  ｒｅｓｔｏｒａｔｉｏｎ）の発生を感知し、イオン性高分子金属複合層にＡＣ駆動電圧を印加するかどうかを決定する。制御部３２０は、イオン性高分子金属複合層の変形復元（ｄｉｓｐｌａｃｅｍｅｎｔ  ｒｅｓｔｏｒａｔｉｏｎ）の程度を判断してもよい。イオン性高分子金属複合層にＤＣ駆動電圧が印加された状態において、現在のイオン性高分子金属複合層の形状から変形前の形態へ復元するのに要する復元の程度が基準値以上である場合には、制御部３２０は、変形復元（ｄｉｓｐｌａｃｅｍｅｎｔ  ｒｅｓｔｏｒａｔｉｏｎ）が発生すると、判断する。前記電圧の値はユーザによって決定されても良いし、上述したように、実験的に定められても良い。他の例として、前記電圧の値は、メモリ又はデータベースに準備されていても良い。
【００３６】
制御部３２０は、ＤＣ−ＤＣコンバータ３４０から出力されるＤＣ駆動電圧又はＤＣ−ＡＣコンバータ３５０から出力されるＡＣ駆動電圧のいずれか１つをイオン性高分子金属複合層を構成する個々のセル又はセル群に対して印加すべく、スイッチ部３６０のスイッチを制御する。スイッチ部３６０は、出力を、制御部３２０の制御に応じて、ＤＣ−ＤＣコンバータ３４０からの出力電圧又はＤＣ−ＡＣコンバータ３５０からの出力電圧の何れかに、切り替える。スイッチは、高分子金属複合層を構成するセルに接続されてもよい。
【００３７】
制御部３２０は、イオン性高分子金属複合層を構成するセル単位又はセル群単位で、ＤＣ駆動電圧を印加するかＡＣ駆動電圧を印加するかを決定する。また、制御部３２０は、セルから構成された列単位で直流駆動電圧または交流駆動電圧の印加の有無を決定する。また、制御部３２０は、イオン性高分子金属複合層を構成するセルの列，及び／又は、イオン性高分子金属複合層を構成するセルの行の単位で、ＤＣ駆動電圧を印加するかＡＣ駆動電圧を印加するかを決定しても良い。
【００３８】
制御部３２０は、セル単位、列単位、または行単位の如き、駆動されるイオン性高分子金属複合層の量に基づいて、ＤＣ駆動電圧又はＡＣ駆動電圧を印加する時間を、調整する。イオン性高分子金属複合層の変形の量やタイプが、電圧が印加される時間に基礎を置くようになっていても良い。
【００３９】
制御部３２０は、イオン性高分子金属複合層をなす複数のセルを包含するエリア単位で、ＤＣ駆動電圧を印加するかＡＣ駆動電圧を印加するかを決定して、認識した入力に基づくイオン性高分子金属複合層の変形を行っても良い。
【００４０】
制御部３２０は、認知した入力に基づいて、イオン性高分子金属複合層をなすセルのうち或るセルにはＤＣ駆動電圧を印加させ、他のセルにはＡＣ駆動電圧を印加させるように、スイッチ部３６０を制御する。ＤＣ駆動電圧は、早く且つ短時間だけ変形されるべきセルに印加され、ＡＣ駆動電圧は、長時間にわたって変形が維持されるべきセルに印加される。ＡＣ駆動電圧が印加される場合には、その周期に応じてイオンが動く速度が決定される。
【００４１】
駆動部３７０は、供給されるＤＣ駆動電圧またはＡＣ駆動電圧に基づいて、セルを駆動する。このように、セルを駆動することによって、セルの動きにより、イオン性高分子金属複合層が変形する。
【００４２】
ディスプレイ部３８０は、イオン性高分子金属複合層に貼付又は結合され、そのため、ディスプレイ部３８０の形状は、セルが駆動される方向に応じて変化する。
【００４３】
セルが駆動される方向は、ユーザの入力に対応する。情報に応じた形状は、制御部３２０及び／又はユーザの入力に基づいて決定されても良い。ユーザの入力は、イオン性高分子金属複合層及び／又はディスプレイ部３８０の目標形状を決定するために、制御部３２０によって処理される。
【００４４】
認知部３１０は、外部，例えば装置の横からフレキシブルディスプレイに入力される信号を認知する。認知部３１０は、アプリケーション又は端末のメニューを通してなされた入力を、認知することができる。例えば、認知部３１０は、スマートフォンにインストールされたメニュー、またはダウンロードされてスマートフォンにインストールされたアプリケーションを通してなされた入力を、認知する。また、認知部３１０は、ユーザによる個別的な入力を認知する。ユーザによる個別的な入力は、例えば、かなや漢字やアニメーションの連続入力である。ユーザによる個別的な入力は、端末に予め設定されていないかも知れない。
【００４５】
制御部３２０は、入力が予め設定されたパターンによる場合には、メモリ部３９０に格納されている周期情報に応じて、ＡＣ駆動電圧の周期を決定する。例えば、アプリケーションを介して波形の入力が選択された場合、制御部３２０は、イオン性高分子金属複合層が波形に変形するように、メモリ部３９０に格納された周期情報に応じてＡＣ駆動電圧の周期を決定してもよい。また、制御部３２０は、入力がユーザによって行われた場合、入力に対応するようにＡＣ駆動電圧の周期を決定する。例えば、制御部３２０は、入力時間が長いほどＡＣ駆動電圧の周期を長くする。
【００４６】
制御部３２０は、認知部３１０によって認知された入力を、参照情報の入力と予め設定されていない情報の入力とに、区別する。入力が参照情報に関するものであった場合、入力された情報はメモリ部３９０に格納されている。入力が予め設定されていない情報に関するものであった場合、入力された情報は、メモリ部３９０に格納されていない。
【００４７】
制御部３２０は、前記参照情報又はメモリ部３９０から検索された情報にマッチする形状パターンをサーチする。前記参照情報にマッチする形状パターンは、メモリ部３９０に格納されている。また、制御部３２０は、予め設定されていない情報に対しては、入力の強度，入力が持続する時間，入力の位置，及び／又は入力のパターンに基づいて、形状パターンを決定する。制御部３２０は、ＤＣ駆動電圧又はＡＣ駆動電圧を、イオン性高分子金属複合層における形状パターンに対応するセルに、印加できるようにする。
【００４８】
メモリ部３９０は、参照情報に対応する形状パターンについての情報，当該形状パターン情報に応じてイオン性高分子金属複合層の各セルに要求される電圧レベル情報，ＡＣ駆動電圧が印加される時間に関する情報，初期のＡＣ駆動電圧の周期に関する情報を、格納する。メモリ部３９０として、情報を格納することのできる外部記憶装置が用いられてもよい。例えば、読出専用メモリ（ＲＯＭ：Ｒｅａｄ  Ｏｎｌｙ  Ｍｅｍｏｒｙ），否定論理和（ＮＯＲ：Ｎｏｔ  ＯＲ）フラッシュメモリ，否定論理積（ＮＡＮＤ：Ｎｏｔ  ＡＮＤ）フラッシュなどの不揮発性メモリが、用いられてもよい。
【００４９】
図４は、本発明の一実施形態に係るフレキシブルディスプレイ制御装置のＤＣ−ＡＣコンバータ３５０を示す図である。
【００５０】
図４に示すように、ＤＣ−ＡＣコンバータ３５０は、ＤＣ入力部４１０，周期決定部４２０，パルス信号生成部４３０，フィルタ４４０，ＡＣ出力部４５０，及び補償部４６０を備える。
【００５１】
ＤＣ入力部４１０には、ＤＣ−ＤＣコンバータ３４０から出力されたＤＣ駆動電圧が入力される。
【００５２】
周期決定部４２０は、参照入力に対応する周期，又は、ユーザの入力若しくはコントローラ３２０の決定によって変化する周期に基づいて、ＡＣ駆動電圧の周期を決定してもよい。参照入力とは、メモリ部３９０に格納された入力のことである。参照入力は、例えば、アプリケーションの実行によって得られたもののように、予め設定されたイオン性高分子金属複合層の形に関する情報に対応する入力を、意味する。参照入力に対応する周期は、メモリ部３９０に予め格納されてもよい。ユーザの入力に基づいて変化する周期は、複数の入力間の時間差，又は、入力の継続時間若しくは入力の強度のような検知に関する他の測定基準に基づいて、決定されても良い。
【００５３】
周期決定部４２０は、制御部３２０によって決定された周期の入力を受けて、ＤＣ駆動電圧をＡＣ駆動電圧に変換するために用いる。
【００５４】
パルス信号生成部４３０は、周期決定部４２０で決定された周期に基づいて、オン（ＯＮ）／オフ（ＯＦＦ）のパルス信号が生じるようにＤＣ駆動電圧を変換する。ＯＮ／ＯＦＦパルス信号の電圧レベルは、直流駆動電圧レベルと等しく、一周期の間におけるＯＮの持続時間及びＯＦＦの持続時間は、制御部３２０によって決定される。ＯＮの持続時間及びＯＦＦの持続時間は、互いに同一であってもよく、同一でなくてもよい。パルス信号生成部４３０は、ブリッジコンバータ（ｂｒｉｄｇｅ  ｃｏｎｖｅｒｔｅｒ）で実現されてもよい。制御部３２０は、メモリ部３９０に格納されたＯＮの持続時間及びＯＦＦの持続時間に基づいて、ＯＮ／ＯＦＦパルス信号のＯＮの持続時間及びＯＦＦの持続時間を、制御する。
【００５５】
フィルタ４４０は、ＯＮ／ＯＦＦパルス信号をフィルタリングして高調波成分を除去する。フィルタ４４０は、ＯＮ／ＯＦＦパルス信号をフィルタリングして正弦波信号を出力してもよい。
【００５６】
ＡＣ出力部４５０は、ＯＮ／ＯＦＦパルス信号をＡＣ駆動電圧として出力してもよいし、フィルタリングされた正弦波信号をＡＣ駆動電圧として出力してもよい。制御部３２０は、ＡＣ出力部４５０がＯＮ／ＯＦＦパルス信号を出力するか正弦波信号を出力するかを、決定する。
【００５７】
補償部４６０は、ＯＮ／ＯＦＦパルス信号の周期を周期決定部４２０によって決定された周期と比較し、周期決定部４２０によって決定された周期との差に基づいて、ＯＮ／ＯＦＦ信号の周期を調整する。補償部４６０は、ＯＮ／ＯＦＦパルス信号の周期又は正弦波信号の周期を、制御部３２０によるＡＣ駆動電圧の周期として調整しても良い。
【００５８】
図５は、本発明の一実施形態に係るフレキシブルディスプレイ制御装置におけるイオン性高分子金属複合層の構造を示す図である。
【００５９】
図５において、イオン性高分子金属複合層５１０は、多数のセル５１１を含む。フレキシブルディスプレイ制御装置は、変形回復（ｄｉｓｐｌａｃｅｍｅｎｔ  ｒｅｓｔｏｒａｔｉｏｎ）を最小化ないし減少させるために、ＡＣ駆動電圧をイオン性高分子金属複合層５１０に印加する。本実施形態では、イオン性高分子金属複合層５１０は、セルユニット５１１，列ユニット５２０，行ユニットを含み、夫々に、ＡＣ駆動電圧又はＤＣ駆動電圧が印加可能である。
【００６０】
例えば、セルに印加される電圧は７Ｖ以下、セルに印加される最大圧力は３０Ｍｐａに設定されてもよい。このような設定は、イオン性高分子金属複合層５１０が取付けられたフレキシブルディスプレイに応じて異なってもよく、イオン性高分子金属複合層５１０が置かれた環境に応じて異なってもよい。
【００６１】
フレキシブルディスプレイ制御装置は、イオン性高分子金属複合層５１０に印加されるＡＣ駆動電圧の周期を調整する。フレキシブルディスプレイ制御装置は、イオン性高分子金属複合層５１０にＡＣ駆動電圧が印加される時間を調整する。
【００６２】
図６は、本発明の一実施形態に係るフレキシブルディスプレイ制御装置におけるイオン性高分子金属複合層の変化を示す図である。
【００６３】
図６において、各セルには識別番号が記載されている。同一の列では識別番号のナンバーが同一であり、同一の行では識別番号のアルファベットが同一である。フレキシブルディスプレイ制御装置は、イオン性高分子金属複合層を構成するセルにＤＣ駆動電圧又はＡＣ駆動電圧を印加し、セルを駆動させることで形状を変化させ得る。
【００６４】
図６では、７番目の列６１０にＤＣ駆動電圧又はＡＣ駆動電圧が印加されることにより、形状が変化している。イオン性高分子金属複合層は、第２電極の方向に曲がっている。この湾曲は、７番目の列６１０中のセルに正の値を有する駆動電圧が印加されたことに因る。
【００６５】
図７は、本発明の一実施形態に係るフレキシブルディスプレイ制御装置において、イオン性高分子金属複合層が時間に応じて変化する場合を示す図である。
【００６６】
図７において、イオン性高分子金属複合層の下部に第２電極が配置され、上部には第１電極が配置される。イオン性高分子金属複合層内のセルに印加された電圧が時間に応じて変化すると、イオン性高分子金属複合層が変化する。
【００６７】
例えば、時間の経過につれて各セルに次第に大きい正の電圧が印加されると、イオン性高分子金属複合層の形状は、７１０に示すもものから７２０に示すものへ変化する。
【００６８】
図８は、本発明の一実施形態において、フレキシブルディスプレイ制御装置内のイオン性高分子金属複合層に印加される電圧に基づく、イオン性高分子金属複合層の変化を示す図である。図９は、本発明の一実施形態において、係るフレキシブルディスプレイ制御装置内のイオン性高分子金属複合層に印加される電圧に基づく、イオン性高分子金属複合層の変化を示す図である。図１０は、本発明の一実施形態において、係るフレキシブルディスプレイ制御装置内のイオン性高分子金属複合層に印加される電圧に基づく、イオン性高分子金属複合層の変化を示す図である。図１１は、本発明の一実施形態において、係るフレキシブルディスプレイ制御装置内のイオン性高分子金属複合層に印加される電圧に基づく、イオン性高分子金属複合層の変化を示す図である。
【００６９】
図８では、イオン性高分子金属複合層の両端に存する列に電圧が印加されることによって、その形状が上方に変形している。この例では、イオン性高分子金属複合層の両端に存する列には、正の電圧が印加されている。
【００７０】
ＤＣ駆動電圧が前記両端に存する列に印加されて一定の時間を持続すれば、変形された形態が緩み、本来の形態に復元する。すなわち、変形復元（ｄｉｓｐｌａｃｅｍｅｎｔ  ｒｅｓｔｏｒａｔｉｏｎ）が発生する。フレキシブルディスプレイ制御装置は、変形復元（ｄｉｓｐｌａｃｅｍｅｎｔ  ｒｅｓｔｏｒａｔｉｏｎ）が発生すると、前記両端に存する列に、ＡＣ駆動電圧を一度に印加する。この例では、ＡＣ駆動信号の周期は、セルに含まれたイオンが動く速度よりも早くてもよい。この例では、セルの動きは、肉眼では確認し難い。
【００７１】
例えば、２ＶのＤＣ駆動電圧を印加することにより、イオン性高分子金属複合層の両端に存する列が４５度持ち上がる。
【００７２】
イオン性高分子金属複合層の物性特性に拠り、イオン性高分子金属複合層に２Ｖの電圧が印加されてから１０秒後に変形回復（ｄｉｓｐｌａｃｅｍｅｎｔ  ｒｅｓｔｏｒａｔｉｏｎ）が発生し始めるとすれば、フレキシブルディスプレイ制御装置は、イオン性高分子金属複合層を変形させるためにＤＣ駆動電圧２Ｖを印加し、その後１０秒以内に、ＡＣ駆動電圧を印加する。
【００７３】
印加されたＡＣ駆動電圧は、２ＶのＤＣ駆動電圧のレベルに匹敵する４Ｖの波高値を有する。印加されたＡＣ駆動電圧が＋２Ｖである場合には、変形されたイオン性高分子金属複合層の形状は維持される。印加されたＡＣ駆動電圧が０Ｖである場合には、イオン性高分子金属複合層の形状は、変形前の状態に復元する。印加されたＡＣ駆動電圧が−２Ｖである場合には、イオン性高分子金属複合層は、印加されたＡＣ駆動電圧が＋２Ｖである場合とは反対方向に変形する。
【００７４】
しかし、ＡＣ駆動電圧の周期を極めて短く設定し、イオンが動く速度よりも早くすると、変形する余地がなくなる。それ故、肉眼では変化を認識できない。すなわち、２ＶのＤＣ駆動電圧が印加された後に早い周期のＡＣ駆動電圧が印加される場合、イオン性高分子金属複合層の形状は、２ＶのＤＣ駆動電圧が印加されたことに対応した形状に維持される。
【００７５】
図９では、イオン性高分子金属複合層の両端に存する列に印加された電圧により、イオン性高分子金属複合層が変形している。この例では、イオン性高分子金属複合層の形状を図示されたように変形するように、イオン性高分子金属複合層の両端に存する列に電圧が印加されている。
【００７６】
図１０では、イオン性高分子金属複合層の中央の列に印加された電圧により、イオン性高分子金属複合層が変形している。この例では、所望の変形構造を実現するために、イオン性高分子金属複合層の中央の列に電圧が印加されている。
【００７７】
図１１では、イオン性高分子金属複合層の中央の列に印加された電圧により、イオン性高分子金属複合層が変形している。この例では、所望の変形構造を実現するために、イオン性高分子金属複合層の中央の列に電圧が印加されており、その電圧の極性は、図１０において印加される電圧の極性とは逆である。
【００７８】
図１２は、本発明の一実施形態に係るフレキシブルディスプレイ制御装置によって生成されるＯＮ／ＯＦＦパルス信号及び正弦波信号の例を示す。
【００７９】
図１２において、フレキシブルディスプレイ制御装置は、ＯＮ／ＯＦＦパルス信号１２１０を生成する。ＯＮ／ＯＦＦパルス信号１２１０において、ＯＮの持続時間及びＯＦＦの持続時間は、互いに同一である。
【００８０】
ＯＮの持続時間及びＯＦＦの持続時間が同一である場合には、一周期の間に、正の電圧と負の電圧とが、相互に同じ時間間隔で供給される。ＯＮの持続時間とＯＦＦの持続時間が同じ場合、イオン性高分子金属複合層は、上方または下方に一定に変化する。例えば、一周期を１秒とする場合、イオン性高分子金属複合層は、０．５秒の間は上昇する方向に変形し、０．５秒の間は下降する方向に変形する。
【００８１】
ＯＮ／ＯＦＦパルス信号１２１０がフィルタを通過すると、正弦波信号１２２０が出力される。
【００８２】
図１３は、本発明の一実施形態に係るフレキシブルディスプレイ制御装置によって生成されるＯＮ／ＯＦＦパルス信号及び正弦波信号の他の例を示す。
【００８３】
図１３において、フレキシブルディスプレイ制御装置は、ＯＮ／ＯＦＦパルス信号１３１０を生成する。このＯＮ／ＯＦＦパルス信号１３１０において、ＯＮの持続時間及びＯＦＦの持続時間は、相互に異なる。例えば、図１３に示すように、ＯＮの持続時間１３１１は、ＯＦＦの持続時間１３１３よりも長い。
【００８４】
ＯＮの持続時間１３１１とＯＦＦの持続時間１３１３とが相互に異なる場合、一周期の間における正の電圧の持続時間が負の電圧の持続時間よりも長いか、一周期の間における負の電圧の持続時間が正の電圧の持続時間よりも長い。ＯＮの持続時間１３１１とＯＦＦの持続時間１３１３とが相互に異なる場合、ＯＮの持続時間１３１１及びＯＦＦの持続時間１３１３のうちの長い方のために、更に変形する。例えば、一周期を１秒とする場合、正の電圧が印加される時間が負の電圧が印加される時間よりも３倍長いと仮定すると、０．７５秒の間は正の電圧が印加され、０．２５秒の間は負の電圧が印加される。
【００８５】
それ故、イオン性高分子金属複合層は、０．７５秒の間は上昇する方向に変形し、０．２５秒の間は下降する方向に変形する。フレキシブルディスプレイ制御装置は、ＯＮの持続時間１３１１及びＯＦＦの持続時間１３１３を調整し、ＯＮ電圧及びＯＦＦ電圧の印加時間の差を用いることで、イオン性高分子金属複合層を様々な形態に変化させることができる。
【００８６】
ＯＮ／ＯＦＦパルス信号１３１０がフィルタを通過すると、正弦波信号１３２０が出力される。正弦波信号１３２０の形状は、図１３に示すように、ＯＮ／ＯＦＦパルス信号１３１０に似ている。
【００８７】
図１４は、本発明の一実施形態によるフレキシブルディスプレイ制御装置を用いて波型に変形されたフレキシブルディスプレイを示す。
【００８８】
図１４に示すように、フレキシブルディスプレイ制御装置は、イオン性高分子金属複合層に印加されるＡＣ駆動電圧の周期を調整することによって、フレキシブルディスプレイ１４１０を、波様に変形させることができる。
【００８９】
イオン性高分子金属複合層に印加されるＡＣ駆動電圧の周期がイオン性高分子金属複合層に含まれたイオンの動きよりも遅ければ、フレキシブルディスプレイ１４１０は、正の電圧では突出した形に、負の電圧では陥没した形に変形される。
【００９０】
ＡＣ駆動電圧がイオンの動きよりも遅い周期のＡＣ駆動電圧がイオン性高分子金属複合層に印加されると、フレキシブルディスプレイ１４１０は、１４２０に示す形状から１４３０に示す形状へ変形するように、波様に変形する。
【００９１】
ファイルがダウンロードされる場合には、このような波様の動きがダウンロード状態を表示するために用いられる。例えば、メニューでダウンロードの入力を受けた場合、ファイルがダウンロードされる間、ダウンロードの進捗を示すために、波様のフレキシブルディスプレイが用いられる。他の例において、物語の電子書籍を再生する場合に、波様のフレキシブルディスプレイが、風の動き及び波の流れや形、又は、その物語の電子書籍に関連するテーマやアクションを表現する何らかの動きを表現するために、波様のフレキシブルディスプレイが用いられてもよい。
【００９２】
図１５は、本発明の一実施形態に係るフレキシブルディスプレイ制御装置を用いてオーディオリズムを表示するフレキシブルディスプレイを示す。
【００９３】
図１５において、フレキシブルディスプレイ制御装置は、フレキシブルディスプレイ１５２０を波の動きに似せて変形させるように、イオン性高分子金属複合層に印加されるＡＣ駆動電圧の周期を調整する。端末で音楽を実行するとき、オーディオのリズムに応じてフレキシブルディスプレイが変形されても良い。
【００９４】
フレキシブルディスプレイ１５２０上に表現されたイコライザー（ｅｑｕａｌｉｚｅｒ）が、各周波数の帯域ごとのオーディオのリズム１５１０を表す場合、オーディオのリズムに応じて、例えば１５３０の形状、１５４０の形状、１５５０の形状のような様々な形状に、変形されてもよい。
【００９５】
図１６は、本発明の一実施形態に係るフレキシブルディスプレイ制御装置における、ＡＣ駆動電圧の周期に基づくフレキシブルディスプレイの変化を示す。
【００９６】
図１６に示すように、イオン性高分子金属複合層に印加されるＡＣ駆動電圧の周期の長短に応じて、フレキシブルディスプレイは様々な形態に変形する。
【００９７】
ＡＣ駆動電圧の周期１６２０が比較的長い場合のフレキシブルディスプレイの形状１６１０，ＡＣ駆動電圧の周期１６４０が中間の場合のフレキシブルディスプレイの形状１６３０，及び、ＡＣ駆動電圧の周期が比較的短い場合のフレキシブルディスプレイの形状１６５０は、互いに異なる。
【００９８】
基本グループに分類された相手から電話着信があった場合、フレキシブルディスプレイの動きは、基本動作とみなされる。参照グループからの電話着信があった場合、フレキシブルディスプレイの動きを基本動作よりも早く又は遅くするように、フレキシブルディスプレイの動きを基本グループからの着信の場合とは異なる動きに設定しても良い。従って、フレキシブルディスプレイの動きだけでも、どのようなグループから電話がかかってきたかを直観的に確認できる。フレキシブルディスプレイ制御装置が、イオン性高分子金属複合層の或る一つの列にＡＣ駆動電圧を印加し、隣接の列には位相差が１８０度であるＡＣ駆動電圧を印加すると、上下に動く形にフレキシブルディスプレイが変形され得る。
【００９９】
図１７は、本発明の一実施形態に係るフレキシブルディスプレイ制御方法を示す。
【０１００】
ステップＳ１７１０において、フレキシブルディスプレイ制御装置はＤＣ駆動電圧をＡＣ駆動電圧に変換する。フレキシブルディスプレイ制御装置は、ＤＣ駆動電圧を所定の周期を有するＡＣ駆動電圧に変換する。交流駆動電圧の波高値レベルは、ＤＣ駆動電圧のレベルと同一である。
【０１０１】
ステップＳ１７２０において、フレキシブルディスプレイ制御装置は、イオン性高分子金属複合層にＡＣ駆動電圧を印加するかどうかを決定する。フレキシブルディスプレイ制御装置は、イオン性高分子金属複合層において変形復元（ｄｉｓｐｌａｃｅｍｅｎｔ  ｒｅｓｔｏｒａｔｉｏｎ）が発生するか否かに基づいて、ＡＣ駆動電圧を印加するかどうかを決定する。イオン性高分子金属複合層はイオン層の一例である。
【０１０２】
フレキシブルディスプレイ制御装置は、イオン性高分子金属複合層の物理的配列を変えることなく、イオン性高分子金属複合層を構成するセルに印加される電圧を変化させるべく、イオン性高分子金属複合層にイオンの動きよりも早い周期を有するＡＣ駆動電圧を印加する。これにより、フレキシブルディスプレイ制御装置は、イオン性高分子金属複合層の変形復元（ｄｉｓｐｌａｃｅｍｅｎｔ  ｒｅｓｔｏｒａｔｉｏｎ）を最小化することができる。
【０１０３】
ステップＳ１７３０において、フレキシブルディスプレイ制御装置は、イオン性高分子金属複合層にＡＣ駆動電圧を印加しないことを決定した場合には、ＤＣ駆動電圧を印加する。フレキシブルディスプレイ制御装置は、変形復元（ｄｉｓｐｌａｃｅｍｅｎｔ  ｒｅｓｔｏｒａｔｉｏｎ）が発生しない場合には、継続してＤＣ駆動電圧を印加する。
【０１０４】
ステップＳ１７４０において、フレキシブルディスプレイ制御装置は、イオン性高分子金属複合層に印加されるＡＣ駆動電圧又はＤＣ駆動電圧に基づいて、イオン性高分子金属複合層を構成するセルを駆動する。セルが動くと、イオン性高分子金属複合層が変形する。
【０１０５】
ステップＳ１７５０において、フレキシブルディスプレイ制御装置は、駆動されるセルに基づいてディスプレイ層を変化させる。上述したように、イオン性高分子金属複合層を構成する多数のセルに電圧を選択的に印加することにより、イオン性高分子金属複合層が変形する。これによって、ディスプレイ層も変形する。
【０１０６】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１０７】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【０１０８】
したがって、本発明の範囲は、開示された実施形態に限定されるものではなく、特許請求の範囲だけではなく特許請求の範囲と均等なものなどによって定められるものである。
【図１】
0005465756.tif 000002
【図２】
0005465756.tif 000003
【図３】
0005465756.tif 000004
【図４】
0005465756.tif 000005
【図５】
0005465756.tif 000006
【図６】
0005465756.tif 000007
【図７】
0005465756.tif 000008
【図８】
0005465756.tif 000009
【図９】
0005465756.tif 000010
【図１０】
0005465756.tif 000011
【図１１】
0005465756.tif 000012
【図１２】
0005465756.tif 000013
【図１３】
0005465756.tif 000014
【図１４】
0005465756.tif 000015
【図１５】
0005465756.tif 000016
【図１６】
0005465756.tif 000017
【図１７】
0005465756.tif 000018